(57)【特許請求の範囲】
【請求項１】
受信機と、
前記受信機と複数の回線を介して接続される警報装置と、
を備える警報システムであって、
一の前記回線においては同一種類の前記警報装置のみが接続されるように前記各回線に接続され、
前記受信機は、
前記複数の回線の各々が接続される複数の端子と、
前記複数の回線の中から試験回線が選択されると、前記試験回線として選択された前記回線が接続される前記端子を選択し、選択した前記端子から電源を供給することで前記試験回線に接続された前記警報装置を動作させる制御部と、
を備えることを特徴とする警報システム。
【請求項２】
請求項１の警報システムにおいて、
同一の警報区域に、複数種類の前記警報装置が配置されることを特徴とする警報システム。
【請求項３】
請求項２の警報システムにおいて、
前記警報装置は、少なくとも光警報装置と音で警報する装置とを含むことを特徴とする警報システム。
【発明の詳細な説明】
【技術分野】
【０００１】
本発明は、警報システムに関する。
【背景技術】
【０００２】
従来、警報システムにおいて、受信機から引き出された専用の回線に、複数の火災感知器が接続されている。火災感知器は、火災を検出した場合に火災検出信号を受信機に送信する。受信機は、火災感知器から供給される火災検出信号に基づいて地区音響装置を鳴動させることで火災警報の報知を実施する。
【０００３】
近年、高齢者の増加及び障害者の社会参加の進展に伴い、上記警報システムが設置されている建物内の人々には、聴力の衰えた高齢者を含む聴覚障害者が含まれることが想定される。しかし、聴覚障害者は、災害が発生した際に警報音が聞き取れないため、災害に対し迅速に対応することができない場合がある。
【０００４】
上記問題を解決するために、音響装置とともに視認性の高いフラッシュライト等の光警報装置（例えば、特許文献１参照）を用いて災害発生を報知する警報システムが提案されている。この警報システムは、火災等の災害時に警報音に加えて光警報装置がフラッシュ光を発することで警報（以下、「光警報」という。）を行うため、聴覚障害者に対しても有効な警報を行なうことができる。
【０００５】
ところで、警報システムの建物に対する施工時や定期点検時に、作業者は音響装置や光警報装置の動作確認を実施する必要がある。そのため、作業者は受信機から警報装置である音響装置及び光警報装置に電源を供給し、音響装置の鳴動と光警報装置の光警報とを確認する。
【先行技術文献】
【特許文献】
【０００６】
【特許文献１】特開２０１１−１９８１９４号公報
【発明の概要】
【発明が解決しようとする課題】
【０００７】
しかしながら、従来の警報システムでは、作業者が受信機から警報装置の動作確認を実施すると、すべての警報装置の警報が一斉に実行される。または、任意の感知器を加煙・加熱することで連動制御される地区音響装置を動作させ確認する（出火階、直上階鳴動）。したがって、作業者は、特定の警報装置のみの動作を確認することができない。
【０００８】
本発明は、このような事情に鑑みてなされたもので、その目的は、警報システムの点検時において特定の警報装置のみの動作を確認することができる警報システムを提供することである。
【課題を解決するための手段】
【０００９】
本発明の一態様は、受信機と、前記受信機と複数の回線を介して接続される警報装置と、を備える警報システムであって、一の前記回線においては同一種類の前記警報装置のみが接続されるように前記各回線に接続され、前記受信機は、前記複数の回線の各々が接続される複数の端子と、前記複数の回線の中から試験回線が選択されると、前記試験回線として選択された前記回線が接続される前記端子を選択し、選択した前記端子から電源を供給することで前記試験回線に接続された前記警報装置を動作させる制御部と、を備えることを特徴とする警報システムである。
【００１０】
また、本発明の一態様は、上述の警報システムであって、同一の警報区域に、複数種類の前記警報装置が配置されてもよい。
【００１１】
また、本発明の一態様は、上述の警報システムであって、前記警報装置は、少なくとも光警報装置と音で警報する装置とを含んでもよい。
【発明の効果】
【００１２】
以上説明したように、本発明によれば、警報システムの点検時において特定の警報装置のみの動作を確認することができる。
【図面の簡単な説明】
【００１３】
【図１】本実施形態の受信機３０を備える警報システム１の概略構成の一例を示す図である。
【図２】本実施形態における受信機３０の概略構成の一例を示す図である。
【図３】本実施形態における選択スイッチ３１２の概略構成の第１の例を示す図である。
【図４】本実施形態における選択スイッチ３１２の概略構成の第２の例を示す図である。
【図５】本実施形態における管理テーブルの一例を示す図である。
【図６】本実施形態における制御部３２の動作の点検モードの処理フローを説明する図である。
【発明を実施するための形態】
【００１４】
本実施形態の受信機は、複数の警報装置に複数の回線を介して接続されている。本実施形態の受信機は、複数の端子、操作部及び制御部を備える。端子の各々には、上記回線のそれぞれが１対１で接続される。作業者の操作によって複数の回線の中から試験回線を選択された際に、操作部は試験回線として選択された回線を示す回線情報を出力する。制御部は、回線情報に基づいて試験回線として選択された回線が接続される端子を複数の端子から選択し、選択した端子から電源を供給することで試験回線に接続された警報装置を動作させる。以下に、実施形態の受信機を備える警報システムについて、具体的に説明する。
【００１５】
図１は、本実施形態の受信機３０を備える警報システム１の概略構成の一例を示す図である。
図１に示すように、本実施形態の警報システム１は、ｎ（ｎは整数）階の建物に設置され、火災やガス漏れ等の災害の発生を検知し、検知した災害の発生を建物内の人々に報知する。
【００１６】
警報システム１は、複数の警報装置２及び受信機３０を備える。
警報装置２は、火災やガス漏れ等の災害の発生した場合に音や光等で警報する装置である。例えば、警報装置２は、地区音響装置５及び光警報装置１０を備える。
【００１７】
地区音響装置５は、建物の各階の天井や壁に配置されている。地区音響装置５は、それぞれ法定の設置間隔で各階に配置されている。地区音響装置５の各々は、地区音響回線６（地区音響回線６−１〜６−ｎ）を介してそれぞれ受信機３０に接続されている。
地区音響装置５は、受信機３０から電源供給されると警報音を鳴動する。例えば、警報音は、ベル音や音声警報である。本実施形態では、１階に配置された地区音響装置５は、地区音響回線６−１を介して受信機３０から電源が供給される。２階に配置された地区音響装置５は、受信機３０から地区音響回線６−２を介して電源が供給される。ｎ階に配置された地区音響装置５は、受信機３０から地区音響回線６−ｎを介して電源が供給される。
【００１８】
光警報装置１０は、建物の各階の天井や壁に配置されている。具体的には、１台又は複数台の光警報装置１０がそれぞれ所定の設置間隔で各階の警報区域内に配置されている。光警報装置１０は、光警報回線９（光警報回線９−１〜９−ｎ）を介して受信機３０に接続されている。
【００１９】
光警報装置１０は、受信機３０から光警報回線９を介して電源が供給されると、光による警報（以下、「光警報」という。）を行う。光警報とは、光警報装置１０内に設けられた発光体を発光させることである。例えば、発光体は、強烈な閃光を発するストロボ（登録商標）に代表されるエレクトロニック・フラッシュ又は大光量のＬＥＤランプ等の光源である。光警報装置１０は、受信機３０から電源が供給されると、発光体を点滅させ建物内の人々に災害の発生を報知する。本実施形態では、１階に配置された光警報装置１０は、光警報回線９−１を介して受信機３０から電源が供給される。２階に配置された光警報装置１０は、受信機３０から光警報回線９−２を介して電源が供給される。ｎ階に配置された光警報装置１０は、受信機３０から光警報回線９−ｎを介して電源が供給される。
【００２０】
受信機３０は、建物に対する施工時や定期点検時等に地区音響装置５の警報又は光警報装置１０の光警報の動作が問題ないか否かを点検する機能である点検モードを備える。
図２は、本実施形態における受信機３０の概略構成の一例を示す図である。
受信機３０は、端子ＥＡ（ＥＡ１〜Ｅ２ｎ）、操作部３１、制御部３２及び記憶部３３を備える。端子ＥＡ１〜ＥＡｎの各々は、各光警報回線９−１〜９−ｎそれぞれを介して光警報装置１０に接続される。端子ＥＡｎ＋１〜ＥＡ２ｎの各々は、各地区音響回線６−１〜６−ｎそれぞれを介して地区音響装置５に接続される。
【００２１】
操作部３１は、点検移行スイッチ３１１、選択スイッチ３１２及び実行スイッチ３１３を備える。例えば、操作部３１は、受信機３０の防災監視盤の表面又は裏面（盤内）に配置されている。
点検移行スイッチ３１１は、建物に対する施工時や定期点検時等に地区音響装置５又は光警報装置１０の動作を確認する際に作業者により操作されるスイッチである。操作部３１は、作業者により点検移行スイッチ３１１が操作されると、点検移行信号を制御部３２に出力する。これにより、受信機３０は点検モードに移行する。
【００２２】
選択スイッチ３１２は、警報システム１の建物に対する施工時や定期点検時等に、地区音響回線６及び光警報回線９の中から試験回線を選択可能なスイッチである。試験回線とは、作業者が動作確認する地区音響装置５又は光警報装置１０に接続されている回線である。作業者が選択スイッチ３１２を操作することで地区音響回線６及び光警報回線９の中から試験回線を選択した場合、操作部３１は、試験回線として選択された回線を示す回線情報を制御部３２に出力する。例えば、回線情報は、回線を識別する番号である回線番号である。以下、本実施形態における選択スイッチ３１２の概略構成の例を示す。なお、端子ＥＡ１〜ＥＡｎの各々と光警報回線９−１〜９−ｎの各々とは、１対１で対応している。端子ＥＡｎ＋１〜ＥＡ２ｎの各々と地区音響回線６−１〜６−ｎの各々とは、１対１で対応している。したがって、選択スイッチ３１２は、端子ＥＡ１、ＥＡ２〜ＥＡ２ｎの中から特定の端子を選択することで試験回線を選択可能なスイッチである。
【００２３】
図３は、本実施形態における選択スイッチ３１２の第１の構成例を示す図である。選択スイッチ３１２は、第１ボタン群３１Ｂ及び第２ボタン群３１Ｅを備える。
第１ボタン群３１Ｂは、ボタン３１Ｂ−１〜３１Ｂ−ｎの各々を備える。
【００２４】
第１ボタン群３１Ｂは、地区音響回線６を選択するために設けられたスイッチである。具体的には、ボタン３１Ｂ−１〜３１Ｂ−ｎの各々は、地区音響回線６−１〜６−ｎのそれぞれに対応して設けられている。例えば、ボタン３１Ｂ−１が作業者により押下されると、操作部３１は、ボタン３１Ｂ−１に対応付けられた地区音響回線６−１の回線番号を制御部３２に出力する。これは作業者が地区音響回線６−１（又は端子ＥＡ２ｎ）を選択したことを意味する。また、ボタン３１Ｂ−２が作業者により押下されると、操作部３１は、ボタン３１Ｂ−２に対応付けられた地区音響回線６−２の回線番号を制御部３２に出力する。これは作業者が地区音響回線６−２（又は端子ＥＡｎ＋２）を選択したことを意味する。ボタン３１Ｂ−ｎが作業者により押下されると、操作部３１は、ボタン３１Ｂ−ｎに対応付けられた地区音響回線６−ｎの回線番号を制御部３２に出力する。これは作業者が地区音響回線６−ｎ（又は端子ＥＡｎ＋１）を選択したことを意味する。
【００２５】
第２ボタン群３１Ｅは、ボタン３１Ｅ−１〜３１Ｅ−ｎを備える。
第２ボタン群３１Ｅは、光警報回線９を選択するために設けられたスイッチである。具体的には、ボタン３１Ｅ−１〜３１Ｅ−ｎの各々は、光警報回線９−１〜９−ｎのそれぞれに対応して設けられている。例えば、ボタン３１Ｅ−１が作業者により押下されると、操作部３１は、ボタン３１Ｅ−１に対応付けられた光警報回線９−１の回線番号を制御部３２に出力する。これは作業者が光警報回線９−１（又は端子ＥＡ１）を選択したことを意味する。ボタン３１Ｅ−２が作業者により押下されると、操作部３１は、ボタン３１Ｅ−２に対応付けられた光警報回線９−２の回線番号を制御部３２に出力する。これは作業者が光警報回線９−２（又は端子ＥＡ２）を選択したことを意味する。ボタン３１Ｅ−ｎが作業者により押下されると、操作部３１は、ボタン３１Ｅ−ｎに対応付けられた光警報回線９−ｎの回線番号を制御部３２に出力する。これは作業者が光警報回線９−ｎ（又は端子ＥＡｎ）を選択したことを意味する。
【００２６】
図４は、本実施形態における選択スイッチ３１２の第２の構成例を示す図である。本実施形態の選択スイッチ３１２の第２の構成例として、選択スイッチ３１２は、表示部３２０、スイッチ部３２１及び確定スイッチ３２２を備える。
【００２７】
表示部３２０は、スイッチ部３２１により選択された回線を示す情報（例えば、回線番号）を表示する。例えば、表示部３２０は、複数の７セグメントＬＥＤを使用した表示器である。
【００２８】
スイッチ部３２１は、地区音響回線６−１〜６−ｎ及び光警報回線９−１〜９−ｎの中から試験回線を選択する場合に作業者により操作されるスイッチである。スイッチ部３２１が操作されると、表示部３２０に表示される情報が変更される。すなわち、選択された回線が変更され、新たな回線が選択される。したがって、作業者は、表示部３２０に表示される情報を確認しながら、スイッチ部３２１を操作することで地区音響回線６−１〜６−ｎ及び光警報回線９−１〜９−ｎの中から試験回線を選択することができる。例えば、スイッチ部３２１は、アップキー及びダウンキーを備えてもよい。また、スイッチ部３２１は、十字キーでもよい。
【００２９】
確定スイッチ３２２は、表示部３２０に表示された情報が示す回線を選択したことを確定するスイッチである。すなわち、確定スイッチ３２２は、スイッチ部３２１により選択された回線を試験回線とすることを確定するスイッチである。確定スイッチ３２２が操作されると、操作部３１は、スイッチ部３２１により選択された回線の回線番号を制御部３２に出力する。上述したように、スイッチ部３２１により選択された回線とは、表示部３２０に表示された情報が示す回線である。
【００３０】
図２に戻り、実行スイッチ３１３は、確定スイッチ３２２が試験回線として確定した回線に接続されている地区音響装置５又は光警報装置１０の動作を確認する場合に作業者により操作されるスイッチである。実行スイッチ３１３が操作されると、操作部３１は、実行スイッチ３１３が操作されたことを示す実行信号を制御部３２に出力する。これにより、確定スイッチ３２２により試験回線として確定された回線に接続されている地区音響装置５又は光警報装置１０が擬似的に動作（以下、「擬似動作」という。）される。
【００３１】
制御部３２は、操作部３１から供給される回線情報に基づいて、端子ＥＡ１、ＥＡ２〜ＥＡ２ｎの中から特定の端子を選択する。すなわち、制御部３２は、操作部３１から供給される回線情報が示す回線に接続された端子を端子ＥＡ１、ＥＡ２〜ＥＡ２ｎの中から選択する。そして、制御部３２は、選択した端子から電源を供給する。以下に、本実施形態における制御部３２の端子ＥＡ１、ＥＡ２〜ＥＡ２ｎの中から特定の端子を選択する方法の一例を説明する。
【００３２】
制御部３２は、操作部３１から供給される回線番号を取得すると、取得した回線番号に対応付けられた管理テーブルの状態番号を第１の値に設定する。また、制御部３２は、操作部３１から取得した回線番号以外の回線番号に対応付けられた管理テーブルの状態番号を第２の値に設定する。第１の値は予め設定されており、例えば「１」である。第２の値は予め設定されており、例えば「０」である。管理テーブルは、記憶部３３に予め記憶されている。以下に、本実施形態における管理テーブルの一例を説明する。図５は、本実施形態における管理テーブルの一例を示す図である。
【００３３】
図５に示すように、管理テーブルは、端子番号と状態番号とが対応付けられている。本実施形態において、端子番号とは、端子ＥＡ１、ＥＡ２〜Ｅ２ｎの番号である。すなわち、管理テーブルには、地区音響回線６−１〜６−ｎ及び光警報回線９−１〜９−ｎに接続された端子番号と状態番号とが対応付けられている。状態番号とは、試験回線として選択された回線に対応する端子を示す番号である。例えば、選択スイッチ３１２により地区音響回線６−２が試験回線として選択された場合、端子番号ＥＡｎ＋２に対応する状態番号が「１」に設定される。したがって、状態番号が「１」に設定されていない、すなわち状態番号が「０」に設定された端子番号の端子ＥＡに接続された回線は試験回線ではない。
【００３４】
制御部３２は、操作部３１から供給される実行信号を取得した場合、第１の値である状態番号に対応した端子番号を管理テーブルから読み込む。制御部３２は、読み込んだ端子番号の端子に電源を供給する。例えば、図５に示すように、第１の値が「１」である場合、制御部３２は、端子番号ＥＡｎ＋２を管理テーブルから読み込む。そして、制御部３２は、読み込んだ端子番号ＥＡｎ＋２の端子から電源を供給することで、試験回線となる地区音響回線６−２に接続された地区音響装置５を鳴動させる。これにより、制御部３２は、試験回線として選定された回線に接続されている地区音響装置５又は光警報装置１０の擬似動作を実行することができる。
【００３５】
以下、本実施形態の制御部３２の点検モードの動作について、図６を用いて説明する。図６は、本実施形態における制御部３２の点検モードの処理フローを説明する図である。
【００３６】
地区音響装置５又は光警報装置１０の擬似動作を実施する場合、作業者は点検移行スイッチ３１１を操作する。制御部３２は、点検移行スイッチ３１１が作業者により操作されると、操作部３１から制御信号が供給される（ステップＳ１０１）。これにより、受信機３０は点検モードに移行する。
【００３７】
作業者は選択スイッチ３１２を操作することで地区音響回線６及び光警報回線９の中から試験回線とする回線を選択する。制御部３２は、作業者により選択スイッチ３１２が操作されると、試験回線として選択した回線を示す回線番号が操作部３１から供給される（ステップＳ１０２）。
【００３８】
制御部３２は、操作部３１から供給される回線番号を取得すると、取得した回線番号に対応付けられた管理テーブルの状態番号を第１の値に更新する。また、制御部３２は、操作部３１から取得した回線番号以外の回線番号に対応付けられた管理テーブルの状態番号を第２の値に更新する（ステップＳ１０３）。
【００３９】
制御部３２は、操作部３１から供給される実行信号を取得したか否かを判定する（ステップＳ１０４）。作業者は、試験回線として選択した回線に接続された地区音響装置５又は光警報装置１０の擬似動作を実行する場合、実行スイッチ３１３を操作する。操作部３１は、作業者により実行スイッチ３１３が操作されると、実行信号を制御部３２に供給する。制御部３２は、操作部３１から供給される実行信号を取得した場合、ステップＳ１０５の処理に移行し警報装置２の擬似動作を実行する。一方、制御部３２は、操作部３１から供給される実行信号を取得しない場合、警報装置２の擬似動作を実行しない。
【００４０】
制御部３２は、操作部３１から供給される実行信号を取得した場合、第１の値である状態番号に対応した端子番号を管理テーブルから読み込む（ステップＳ１０５）。
【００４１】
制御部３２は、読み込んだ端子番号の端子から電源を供給する（ステップＳ１０６）。これにより、制御部３２は、試験回線として選択された回線に接続された地区音響装置５又は光警報装置１０のみを動作させることができる。すなわち、作業者は一部の地区音響装置５又は光警報装置１０の動作を確認することができる。
【００４２】
上述したように、本実施形態の受信機３０は、複数の警報装置２に複数の回線（地区音響回線６−１〜６−ｎ及び光警報回線９−１〜９−ｎ）を介して接続されている。受信機３０は、複数の端子（端子ＥＡ１、ＥＡ２〜ＥＡ２ｎ）、操作部３１及び制御部３２を備える。複数の端子の各々には、それぞれ回線が１対１で接続される。操作部３１は、作業者により複数の回線の中から試験回線が選択されると、試験回線として選択された回線を示す回線情報を出力する。制御部３２は、回線情報に基づいて試験回線として選択された回線が接続される端子を選択し、選択した端子から電源を供給することで試験回線に接続された警報装置２を動作させる。すなわち、受信機３０は、回線毎に電源を供給することができるため、点検時において特定の警報装置２（例えば、地区音響装置５又は光警報装置１０）のみを動作することができる。すなわち、受信機３０は、警報装置２を試験するための擬似動作を実行させる場合に、特定の警報装置２のみを動作させることができるため、警報装置２の擬似動作時においてすべての警報装置２が動作してしまい周囲に迷惑をかけることを抑制することができる。
【００４３】
以上、この発明の実施形態を図面を参照して詳述してきたが、具体的な構成は上述の実施形態に限られるものではなく、この発明の要旨を逸脱しない範囲の設計等も含まれる。
【００４４】
上述の実施形態において、受信機３０は、光警報装置１０の各々に電源を供給する機能を備えている場合について説明したが、これに限定されない。例えば、受信機３０は、各階に設置される光警報装置１０の各々の発光タイミングを同期させる機能をさらに備えてもよい。ここで、同期とは、光警報装置１０の各々との発光タイミングのずれが所定時間以内であり、かつ、発光時間に所定時間以上の重複部分があることをいう。
【００４５】
また、上述の実施形態において、受信機３０が光警報装置１０の各々に電源を供給する機能を備えている場合について説明したが、これに限定されない。例えば、受信機３０と光警報装置１０との間に光警報装置１０の各々に電源を供給する機能を有する光制御装置を備えてもよい。これは、複数の光警報装置１０を同時点灯させる場合には多くの電力が必要となるためである。また、光制御装置に光警報装置１０の各々の発光タイミングを同期させる機能をさらに備えてもよい。
【００４６】
上述した実施形態において、制御部３２は選択スイッチ３１２が図３に示す構成を備える場合、キーマトリックス方式を用いて試験回線を選択してもよい。
【００４７】
上述した実施形態における制御部３２をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【符号の説明】
【００４８】
１  警報システム
２  警報装置
５  地区音響装置
１０  光警報装置
３０  受信機
３１  操作部
３２  制御部
３３  記憶部
３１１  点検移行スイッチ
３１２  選択スイッチ
３１３  実行スイッチ
３２０  表示部
３２１  スイッチ部
３２２  確定スイッチ
【図１】
0006584836.tif 000002
【図２】
0006584836.tif 000003
【図３】
0006584836.tif 000004
【図４】
0006584836.tif 000005
【図５】
0006584836.tif 000006
【図６】
0006584836.tif 000007